(57)【要約】【課題】センサ端末器の誤登録や登録忘れなどを防止し、携帯型の端末器の自動登録を可能にする監視システムを提供する。【解決手段】中央処理装置１の登録受付手段６で端末器２の登録の受付を可能な状態とし、端末器２の電源供給手段１７に電池を投入することにより、登録要求手段１９が端末器２の登録を要求する信号を出力し、データ通信手段１６が端末器２のアドレス情報と共に電圧検出手段１８が検出する電圧データを中央処理装置１に送信し、受信した中央処理装置１は端末器２を登録するので、端末器の誤登録や登録忘れなどを防止し、携帯型の端末器の自動登録も行うことができる。また、中央処理装置１は端末器２の電源供給手段１７に投入した電池電圧の初期状態を把握することが可能となる。【選択図】図２
2005223791.tif 000002
【特許請求の範囲】
【請求項１】
定常または非定常の状態を監視する一つまたは複数の端末器と、１台の中央処理装置と、前記端末器および前記中央処理装置との間でデータの送信または受信を行うデータ通信手段を有し、前記端末器は、電池を投入することにより電源を供給する電源供給手段と、前記電源供給手段の電圧を検出する電圧検出手段と、前記電源供給手段に電池を投入することにより前記端末器の登録を要求する信号を出力する登録要求手段を有し、前記データ通信手段は前記登録要求手段から出力される信号を受けて前記端末器のアドレス情報と共に前記電圧検出手段が検出する電圧データを前記中央処理装置に送信し、前記中央処理装置は登録手段を有し、前記登録手段は受信した前記端末器のアドレス情報を記憶登録する監視システム。
【請求項２】
中央処理装置は端末器の電源供給手段の電圧データの送信を要求する電圧要求手段と、前記電圧要求手段が要求する間隔を決定する電圧要求間隔決定手段を備え、前記電圧要求間隔決定手段は前記端末器から送信される電圧データに基づき要求間隔を決定する請求項１記載の監視システム。
【請求項３】
電圧要求間隔決定手段は電圧データが小さいほど要求間隔を短く決定する請求項２記載の監視システム。
【請求項４】
中央処理装置は端末器から送信される電圧データが所定値より小さい時に前記端末器の電池交換を視覚的または聴覚的に知らせる電池交換報知手段を有する請求項１〜３のいずれか１項に記載の監視システム。
【請求項５】
端末器は電圧検出手段が検出する電圧が所定値より小さい時に電池交換を視覚的または聴覚的に知らせる電池交換報知手段を有する請求項１〜３のいずれか１項に記載の監視システム。
【請求項６】
中央処理装置は登録手段が端末器のアドレス情報の登録を完了すると前記端末器に登録確認信号を送信し、前記端末器は中央処理装置からの登録確認信号を受けて前記端末器の登録が完了したことを視覚的または聴覚的に知らせる登録報知手段を有する請求項１〜３のいずれか１項に記載の監視システム。
【請求項７】
端末器は登録要求手段が信号を出力してからの経過時間を計時する計時手段を有し、前記計時手段が所定時間を計時しても中央処理装置からの登録確認信号を受信しない時に前記端末器の登録が失敗したことを視覚的または聴覚的に知らせる登録報知手段を有する請求項１〜３のいずれか１項に記載の監視システム。
【発明の詳細な説明】
【技術分野】
【０００１】
本発明は、端末器からの非定常信号に基づいて中央処理装置から自動通報を行う監視システムの端末器の登録に関するものである。
【背景技術】
【０００２】
近年、窃盗犯罪の増加に伴い、住居における監視システムの需要が増加している。従来この種の監視システムは侵入者検知用の複数のセンサ端末器と警報を発する中央処理装置との組み合わせからなり、センサ端末器の登録は中央処理装置側において手動操作して登録を行っていた。
【０００３】
また、子機（センサ端末器）の電源プラグを電灯線のコンセントに差し込むことによって子機アドレスを親機（中央処理装置）に自動的に登録できるものもある。
【特許文献１】特開昭６２−２４５７３５号公報
【発明の開示】
【発明が解決しようとする課題】
【０００４】
しかしながら前記従来の構成では、中央処理装置側においてセンサ端末器個々のアドレスを登録しなければならないので、誤登録や登録忘れなどをするおそれがあった。また、子機（センサ端末器）の電源プラグを電灯線のコンセントに差し込むことによって自動的に登録する場合は、子機をコンセントに差し込む必要があるため、子機の使用場所がコンセントの近くに限定され、例えば、使用者が携帯して使用し、緊急時に操作することにより非定常状態を発信する緊急コール用の携帯型の端末器などの自動登録はできないという問題があった。
【０００５】
本発明は、上記従来の課題を解決するためのもので、センサ端末器の誤登録や登録忘れなどを防止し、携帯型の端末器の自動登録を可能にする監視システムを提供することを目的とする。
【課題を解決するための手段】
【０００６】
前記従来の課題を解決するために、本発明の監視システムは、定常または非定常の状態を監視する一つまたは複数の端末器と、１台の中央処理装置と、前記端末器および前記中央処理装置との間でデータの送信または受信を行うデータ通信手段を有し、前記端末器は電池を投入することにより電源を供給する電源供給手段と、前記電源供給手段の電圧を検出する電圧検出手段と、前記電源供給手段に電池を投入することにより前記端末器の登録を要求する信号を出力する登録要求手段を有し、前記データ通信手段は前記登録要求手段から出力される信号を受けて前記端末器のアドレス情報と共に前記電圧検出手段が検出する電圧データを前記中央処理装置に送信し、前記中央処理装置は登録手段を有し、前記登録手段は受信した前記端末器のアドレス情報を記憶登録するものである。
【０００７】
これによって、端末器の電源供給手段に電池を投入することにより、登録要求手段が端末器の登録を要求する信号を出力し、データ通信手段が前記端末器のアドレス情報と共に電圧検出手段が検出する電圧データを中央処理装置に送信し、中央処理装置の登録手段が端末器のアドレス情報を記憶登録する。
【発明の効果】
【０００８】
本発明の監視システムは、端末器の電源供給手段に電池を投入することにより、端末器の登録を行うので、端末器の誤登録や登録忘れなどを防止し、携帯型の端末器の自動登録も行うことができる。また、データ通信手段が前記端末器のアドレス情報と共に電圧検出手段が検出する電圧データを中央処理装置に送信するので、中央処理装置は端末器に入れた電池の電圧の初期状態を把握することが可能となる。
【発明を実施するための最良の形態】
【０００９】
第１の発明は、定常または非定常の状態を監視する一つまたは複数の端末器と、１台の中央処理装置と、前記端末器および前記中央処理装置との間でデータの送信または受信を行うデータ通信手段を有し、前記端末器は電池を投入することにより電源を供給する電源供給手段と、前記電源供給手段の電圧を検出する電圧検出手段と、前記電源供給手段に電池を投入することにより前記端末器の登録を要求する信号を出力する登録要求手段を有し、前記データ通信手段は前記登録要求手段から出力される信号を受けて前記端末器のアドレス情報と共に前記電圧検出手段が検出する電圧データを前記中央処理装置に送信し、前記中央処理装置は登録手段を有し、前記登録手段は受信した前記端末器のアドレス情報を記憶登録するものである。
【００１０】
これによって、端末器の電源供給手段に電池を投入することにより、登録要求手段が端末器の登録を要求する信号を出力し、この信号を受けたデータ通信手段が前記端末器のアドレス情報と共に電圧検出手段が検出する電圧データを中央処理装置に送信し、中央処理装置の登録手段が受信した端末器のアドレス情報を記憶登録するので、端末器の誤登録や登録忘れなどを防止し、携帯型の端末器の自動登録を行うことができ、中央処理装置は端末器に入れた電池の電圧の初期状態を把握することができる。
【００１１】
第２の発明は、特に第１の発明の中央処理装置が、端末器の電源供給手段の電圧データの送信を要求する電圧要求手段と、前記電圧要求手段が要求する間隔を決定する電圧要求間隔決定手段を備え、前記電圧要求間隔決定手段は前記端末器から送信される電圧データに基づき要求間隔を決定するものである。これによって、中央処理装置は端末器の登録が完了した時点から、受信した電圧データに基づき次の要求間隔を決定することができ、電圧データに応じた最適な間隔で電圧データを把握することができる。
【００１２】
第３の発明は、特に第２の発明の電圧要求間隔決定手段が電圧データが小さいほど要求間隔を短く決定するものである。これによって、中央処理装置は電圧データが小さいほど短い間隔で電圧データを把握することができ、電池交換のタイミングを的確に判断することが可能となる。
【００１３】
第４の発明は、特に第１〜３のいずれか１つの発明の中央処理装置が、端末器から送信される電圧データが所定値より小さい時に前記端末器の電池交換を視覚的または聴覚的に知らせる電池交換報知手段を有するものである。これによって、中央処理装置において端末器の電池交換の時期が視覚的または聴覚的に分かり、端末器の電池交換を行うことができる。
【００１４】
第５の発明は、特に第１〜３のいずれか１つの発明の端末器は、電圧検出手段が検出する電圧が所定値より小さい時に電池交換を視覚的または聴覚的に知らせる電池交換報知手段を有するものである。これによって、端末器においても、電池交換の時期が視覚的または聴覚的に分かり、例えば電池交換の際に間違って古い電池を入れた場合であっても、電池交換報知手段が報知するので、その場で新しい電池に交換することができる。
【００１５】
第６の発明は、特に第１〜３のいずれか１つの発明の中央処理装置は登録手段が端末器のアドレス情報の登録を完了すると前記端末器に登録確認信号を送信し、前記端末器は中央処理装置からの登録確認信号を受けて前記端末器の登録が完了したことを視覚的または聴覚的に知らせる登録報知手段を有するものである。これによって、登録報知手段が端末器の登録が完了したことを視覚的または聴覚的に知らせるので、端末器に電池を投入したその場で端末器の登録が完了したことを確認することができ、安心感や操作性の向上につながる。
【００１６】
第７の発明は、特に第１〜３のいずれか１つの発明の端末器は、登録要求手段が信号を出力してからの経過時間を計時する計時手段を有し、前記計時手段が所定時間を計時しても中央処理装置からの登録確認信号を受信しない時に前記端末器の登録が失敗したことを視覚的または聴覚的に知らせる登録報知手段を有するものである。これによって、計時手段が所定時間を計時しても端末器が中央処理装置からの登録確認信号を受信しない時は、端末器の登録報知手段が端末器の登録が失敗したことを視覚的または聴覚的に知らせるので、端末器に電池を投入したその場で、端末器の登録が失敗したことを確認することができ、再度電池を投入して登録をやり直すことができる。
【００１７】
以下本発明の実施の形態について、図面を参照しながら説明する。なお、この実施の形態によって本発明が限定されるものではない。
【００１８】
（実施の形態１）
図１は、本発明の第１の実施の形態における監視システムのシステムブロック図を示すものである。
【００１９】
図１において、中央処理装置１と端末器２〜４の間は、後で述べる無線による通信手段によって通信が行われる。端末器２〜４の内、端末器２には侵入検知手段が設けられており、端末器３には緊急コール手段が設けられ、端末器４には中央処理装置１を遠隔操作するための操作入力手段が設けられている。
【００２０】
図２は本発明の第１の実施の形態における監視システムの中央処理装置１の内部ブロック図である。
【００２１】
図２において、データ通信手段５は端末器２〜４との間でデータの送信または受信を行うものであり、登録受付手段６は端末器２〜４の登録を受付け可能な状態にするための押しボタンスイッチである。登録手段７は端末器２〜４から送信される各端末器のアドレス情報を記憶登録するものである。
【００２２】
ここでアドレス情報とは、端末からデータを送信する際にデータの頭に付与するアドレスコードのことであり、アドレス情報を付けて送信することで、中央処理装置はどの端末からのデータかが判る。登録端末以外のデータは無視する。
【００２３】
電圧要求間隔決定手段８は端末器２〜４から送信される電圧データに基づき電圧データの要求間隔を決定するもので、電圧要求手段９は電圧要求間隔決定手段８で決定された間隔で電圧データの送信を要求する。電池交換表示手段１０は端末器２〜４の電池交換を視覚的に知らせる液晶表示部であり、電池交換報知手段１１は端末器２〜４の電池交換を聴覚的に知らせる音声出力部である。また、公衆回線接続手段１２は外線電話に接続し、非定常状態の発生を通報するもので、外線接続部１３は電話回線に接続するための接続部である。また、設定部１４は中央処理装置１全体の動作を設定し、制御部１５は中央処理装置１全体の動作を制御するものである。
【００２４】
図３は本発明の第１の実施の形態における監視システムの端末器２の内部ブロック図である。
【００２５】
図３において、データ通信手段１６は中央処理装置１との間でデータの送信または受信を行う。電源供給手段１７は電池を投入することにより端末器２に電源を供給するもので、電圧検出手段１８は電源供給手段１７の電圧を検出する。登録要求手段１９は電源供給手段１７に電池を投入することにより端末器２の登録を要求する信号を出力する。計時手段２０は登録要求手段１９が信号を出力してからの経過時間を計時する。電池交換表示手段２１は端末器２の電池交換を視覚的に知らせるＬＥＤであり、電池交換報知手段２２は端末器２の電池交換を聴覚的に知らせるブザーである。また、登録表示手段２３は端末器２の登録の完了または失敗を視覚的に知らせるＬＥＤであり、登録報知手段２４は端末器２の登録の完了または失敗を聴覚的に知らせブザーである。また、侵入検知手段２５は侵入者を検知し、侵入が発生したという情報である非定常信号を出力するもので、本実施の形態ではリードスイッチを設けている。この端末器２を窓やドアの枠に取り付け、可動部である窓ガラスやドア開閉部にこのリードスイッチと対応して開閉させるための磁石を取り付けることにより、窓やドアの開閉を検知することができる。また、制御部２６は端末器２全体の動作を制御するものである。そして、記憶手段２７は端末器２の登録が完了したことを記憶する不揮発性の記憶手段である。
【００２６】
図４は本発明の第１の実施の形態における監視システムの端末器３の内部ブロック図である。
【００２７】
図４において、図３に示す端末器２との相違点は侵入検知手段２５の代わりに緊急コール手段２８を備えた点であり、その他の構成は同じであるので、説明を省略する。緊急コール手段２８は押しボタンスイッチで、使用者がこの押しボタンスイッチを押すことによって非定常信号を出力するもので、緊急事態の発生を知らせることができる。
【００２８】
図５は本発明の第１の実施の形態における監視システムの端末器４の内部ブロック図である。
【００２９】
図５において、図３に示す端末器２との相違点は侵入検知手段２５の代わりに操作入力手段２９を備えた点であり、その他の構成は同じであるので、説明を省略する。操作入力手段２９は本実施例では複数の押しボタンスイッチとなっている。使用者はこの押しボタンスイッチを押すことによって中央処理装置１の操作を遠隔で行うことができる。ここでいう遠隔操作とは、中央処理装置１を制御して、監視区域における監視動作を開始させたり、解除させたりするものである。
【００３０】
以上のように構成された監視システムについて、以下その動作、作用を説明する。
【００３１】
まず、端末器の登録について説明する。
【００３２】
初めに中央処理装置１において、登録受付手段６を操作すると、データ通信手段５が端末器２〜４からの登録データを待ち受ける待機状態となる。次に端末器２〜４の電源供給手段１７に電池を投入すると、登録要求手段１９が端末器２〜４の登録を要求する信号を制御部２６に出力し、計時手段２０が計時を開始する。同時に電圧検出手段１８が電源供給手段１７の電圧を検出し、電圧データが制御部２６に送られる。そして、データ通信手段１６が端末器２〜４のアドレス情報と共に電圧データを中央処理装置１のデータ通信手段５に送信する。この時、登録表示手段２３のＬＥＤが点滅し、登録報知手段２４であるブザーが鳴り、端末器２〜４が登録中であることを知らせる。
【００３３】
中央処理装置１のデータ通信手段５は端末器２〜４のアドレス情報と電圧データを受信し、端末器２〜４のアドレス情報は登録手段７に記憶登録される。そして、データ通信手段５が端末器２〜４に対して登録が完了したことを確認する登録確認信号を送信する。端末器２〜４のデータ通信手段１６がこの信号を受信すると制御部２６は登録表示手段２３のＬＥＤを消灯し、登録報知手段２４であるブザーを停止させる。これによって、端末器２〜４の登録が完了したことを登録表示手段２３が視覚的に、登録報知手段２４が聴覚的に知らせるので、端末器２に電池を投入したその場で端末器２〜４の登録が完了したことを確認することができ、安心感や操作性の向上につながる。
【００３４】
また、制御部２６は不揮発性の記憶手段２７に登録が完了したことを記憶させる。記憶手段２７のデータはリセットスイッチ（図示せず）を操作した場合にのみ消去可能であるので、次に電池を交換した時は記憶手段２７に登録が完了したことが記憶されており、一連の登録動作を繰り返すことはない。
【００３５】
一方、データ通信手段１６がアドレス情報と電圧データの送信に失敗、または、データ通信手段５が受信に失敗した場合は、中央処理装置１から端末器２〜４に登録確認信号が返ってこない。計時手段２０が例えば５分計時しても登録確認信号が返ってこない場合は、制御部２６は登録表示手段２３のＬＥＤを点滅から点灯に、登録報知手段２４のブザーをエラー音に切り替えて、端末器の登録が失敗したことを知らせる。そして、さらに３０秒経過すると登録表示手段２３のＬＥＤは消灯し、登録報知手段２４のブザーは停止する。これによって、計時手段２０が所定時間を計時しても端末器２〜４が中央処理装置１からの登録確認信号を受信しない時は、端末器２〜４の登録が失敗したことを登録表示手段２３が視覚的に知らせ、登録報知手段２４が聴覚的に知らせるので、端末器２〜４に電池を投入したその場で、端末器２〜４の登録が失敗したことを確認することができ、再度電池を投入して登録をやり直すことができる。
【００３６】
次に、端末器２〜４の電源供給手段１７の電圧データの要求について説明する。
【００３７】
中央処理装置１の制御部１５は端末器２〜４の登録時にアドレス情報共に受信した電圧データを電圧要求間隔決定手段８に送信する。電圧要求間隔決定手段８はこの電圧データに基づき、端末器２〜４に対して次の電圧データの送信を要求する間隔を決定する。例えば、電圧データが４．０〜４．５Ｖの時は２４時間、３．５〜４．０Ｖの時は１２時間、３．０〜３．５Ｖの時は６時間と、電圧データが小さいほど要求間隔を短く決定するものである。決定された要求間隔は電圧要求手段９に伝えられ、電圧要求手段９はこの要求間隔で信号を出力し、データ通信手段５は端末器２〜４に対して電圧データの送信を要求するコードを送信する。端末器２のデータ通信手段１６は電圧データの送信を要求するコードを受信し、電圧検出手段１８が電源供給手段１７の電圧を検出する。そして、データ通信手段１６は中央処理装置１に対して自らのアドレス情報と共にこの電圧データを送信する。中央処理装置１はこのデータを受信し、どの端末器の電源給手段の電圧がいくらか、電圧データに応じた最適な間隔で把握することができる。
【００３８】
そして、受信した電圧データが所定値（例えば３．０Ｖ）より小さい時は、電池交換表示手段１０の液晶表示部に電池交換の必要な端末器２〜４と電池交換のマークを表示し、電池交換報知手段１１である音声出力部が例えば、「端末器２の電池を交換してください」と音声で報知する。これによって、中央処理装置１において端末器２〜４の電池交換の時期が視覚的にまたは聴覚的に分かり、端末器２〜４の電池交換を行うことができる。また、中央処理装置１は受信する電圧データが小さいほど短い間隔で次の電圧データを把握することができ、電池交換のタイミングを的確に判断することが可能となる。
【００３９】
さらに、中央処理手段１は、データ通信手段５により、端末器２〜４に電池交換を促す信号を送信する。端末器２〜４のデータ通信手段１６はこの信号を受信し、制御部２６は電池交換表示手段２１のＬＥＤを点灯させ、電池交換報知手段２２のブザーを出力させる。これによって端末器２〜４においても電池交換の必要性を視覚的に、または聴覚的に知ることができる。そして、電池交換を行うことによって電池交換表示手段２１のＬＥＤは消灯し、電池交換報知手段２２のブザーは出力を停止する。この電池交換によりデータ通信手段１６は中央処理装置１に自らのアドレス情報と、電圧検出手段１８が検出した電圧データを送信し、中央処理装置１は電池交換後の電圧データを把握する。これにより、例えば間違って古い電池を投入し、電圧データが所定値（例えば３．０Ｖ）より小さい時は、中央処理装置１からの信号により電池交換表示手段２１のＬＥＤが点灯し、電池交換報知手段２２のブザーが鳴るので、古い電池であったことが把握でき、その場で新しい電池に交換することができる。
【００４０】
次に、侵入検知の動作について説明する。
【００４１】
使用者の外出時や夜間の就寝時などに中央処理装置１の設定部１４によって、あるいは端末器４の操作入力手段２９によって警戒モードを設定することにより、警戒動作が開始する。警戒動作中において端末器２が設置されている窓またはドアが開くと侵入検知手段２５が動作し、端末器２のデータ通信手段１６に対して非定常状態発生の信号が出力される。データ通信手段１６はこの信号を受けると中央処理装置１のデータ通信手段５に対して信号を発信する。この信号は、まず自らの端末器のアドレス情報と侵入が発生したという旨の状態コードを順次送信する。中央処理装置１では、中央処理装置１のデータ通信手段５においてこの送信信号を受信し、どの端末器からの信号かを判別し、さらには侵入発生した旨の信号を受信する。この信号に基づき、公衆回線接続手段１２が動作し、外線接続部１３から予め登録された電話番号に対応した宅外の電話機または携帯電話機に侵入が発生した箇所名と侵入発生の旨を通知する音声メッセージを通報する。
【００４２】
次に緊急コールに関する動作を説明する。
【００４３】
在宅時であっても侵入が発生して急を要する場合、または使用者の体調が急変して外部に連絡が必要なときなどに、使用者が端末器３の緊急コール手段２８を動作させることによって、端末器３のアドレス情報と緊急事態発生の状態コードが中央処理装置１に送信され、これに基づいて対応する音声メッセージを、公衆回線接続手段１２によって外部の電話機または携帯電話に通報することができる。
【００４４】
次に遠隔操作に関する動作を説明する。
【００４５】
使用者が端末器４の操作入力手段２９を操作することによって、端末器４のアドレス情報と操作入力内容、警戒の開始・停止指令に対応する操作コードが中央処理装置１に送信され、これに基づいて中央処理装置１は警戒を開始・停止する。
【００４６】
以上のように、本発明の実施の形態においては、中央処理装置１の登録受付手段６で端末器２〜４の登録を受付を可能な状態とし、端末器２〜４の電源供給手段１７に電池を投入することにより、登録要求手段１９が端末器２〜４の登録を要求する信号を出力し、データ通信手段１６が前記端末器２〜４のアドレス情報と共に電圧検出手段が検出する電圧データを中央処理装置に送信し、端末器のアドレス情報を中央処理装置１に登録するので、端末器の誤登録や登録忘れなどを防止し、緊急コールや遠隔操作などを行う携帯型の端末器も自動的に登録を行うことができる。
【００４７】
また、中央処理装置１は端末器２〜４の電源供給手段１７の電圧の初期状態を把握することが可能となる。そして、この電圧に基づき電圧要求間隔決定手段８が電源供給手段１７の電圧データの送信を要求する間隔を決定し、電圧要求手段９が端末器２〜４に対し電圧データの送信を要求するので、中央処理装置１は電源供給手段１７の電圧に応じた最適な間隔で電圧データを把握することができる。
【００４８】
なお、本実施の形態では、中央処理装置１には電池交換表示手段１０と電池交換報知手段１１を双方設けているが、必要に応じて何れかであっても構わない。
【００４９】
また、端末器２〜４には、電池交換表示手段２１と電池交換報知手段２２を双方設けているが、必要に応じて何れかであっても構わない。
【００５０】
また、端末器２〜４には、登録表示手段２３と登録報知手段２４を双方設けているが、必要に応じて何れかであっても構わない。
【００５１】
また、端末器の個数は４台で、台数は特に限定するものではなく、端末器のアドレス情報と状態コードを特定できる限りにおいては、端末器の台数は何台でも構わない。
【００５２】
また、侵入検知手段は可動部の磁石の動きに対応するリードスイッチで構成したが、焦電型赤外線センサなどの人体センサを用いても同様の効果が得られる。
【００５３】
また表示手段はＬＥＤ以外に画面表示でもよいし、報知手段はブザー以外に音声案内などでもよい。
【産業上の利用可能性】
【００５４】
以上のように、本発明にかかる監視システムは、端末からの非定常信号に基づいて中央処理装置から自動通報を行うので、病院や介護福祉施設等のセキュリティ用途にも適用できる。
【図面の簡単な説明】
【００５５】
【図１】本発明の実施の形態１における監視システムのシステムブロック図
【図２】本発明の実施の形態１における監視システムの中央処理装置の内部ブロック図
【図３】本発明の実施の形態１における監視システムの端末器の内部ブロック図
【図４】本発明の実施の形態１における監視システムの端末器の内部ブロック図
【図５】本発明の実施の形態１における監視システムの端末器の内部ブロック図
【符号の説明】
【００５６】
１  中央処理装置
２〜４  端末器
５、１６  データ通信手段
６  登録受付手段
７  登録手段
８  電圧要求間隔決定手段
９  電圧要求手段
１０、２１  電池交換表示手段
１１、２２  電池交換報知手段
１７  電源供給手段
１８  電圧検出手段
１９  登録要求手段
２０  計時手段
２３  登録表示手段
２４  登録報知手段
【図１】
2005223791.tif 000003
【図２】
2005223791.tif 000004
【図３】
2005223791.tif 000005
【図４】
2005223791.tif 000006
【図５】
2005223791.tif 000007